(57)【要約】【課題】  家庭用の電気掃除機を利用した口内の異物吸引具に関し、口内に詰まった異物を効果的に吸引除去できる、口内の異物吸引具を提供することを課題とする。【解決手段】  電気掃除機の吸込口と嵌挿可能な接続部が形成された筒状の把持部４と、前記把持部４から延設された中間筒部６と、前記中間筒部と連結された部位から、次第に筒径が縮径して形成された係止面部８と、前記係止面部の縮径された部位から筒状に延設され、先端部には、一又は複数の孔部２４を有する端面部２２が形成されたノズル部１０と、を具備する構成である。【選択図】  図１
2015002784.tif 000002
【特許請求の範囲】
【請求項１】
電気掃除機の吸込口と嵌挿可能な接続部が形成された筒状の把持部と、
前記把持部から延設された中間筒部と、
前記中間筒部と連結された部位から、次第に筒径が縮径して形成された係止面部と、
前記係止面部の縮径された部位から筒状に延設され、先端部には、一又は複数の孔部を有する端面部が形成されたノズル部と、を具備することを特徴とする口内の異物吸引具。
【請求項２】
前記中間筒部を直角向きに屈曲形成したことを特徴とする請求項１に記載の口内の異物吸引具。
【請求項３】
前記係止面部の筒径を、テーパー状に縮径して形成したことを特徴とする請求項１又は２に記載の口内の異物吸引具。
【請求項４】
前記ノズル部の筒状部位に、一又は複数の補助孔部を設けたことを特徴とする請求項１乃至３の何れかに記載の口内の異物吸引具。
【請求項５】
前記接続部の筒形状を、端部から前記中間筒部に向うに従って緩やかに拡径する形状に形成したことを特徴とする請求項１乃至４の何れかに記載の口内の異物吸引具。
【請求項６】
前記ノズル部と一体の前記係止面部を、前記中間筒部の端部に着脱可能に接続したことを特徴とする請求項１乃至５の何れかに記載の口内の異物吸引具。
【請求項７】
請求項１乃至請求項６の何れかに記載の口内の異物吸引具を用い、前記電気掃除機の吸引力を利用し、口内へ挿入した前記ノズル部により口内の異物を吸引し除去する口内異物吸引方法。
【発明の詳細な説明】
【技術分野】
【０００１】
本発明は、家庭用の電気掃除機を利用した口内の異物吸引具に関する。
【背景技術】
【０００２】
従来、子供、年寄り或いは寝たきり病人などが、不用意に食品、非食品等の異物を口内の喉等に詰まらせるという事態が発生したとき、それらの除去に急を要する場合がある。このような緊急の場合、家族などが口内に詰まった異物を発見しても、喉奥等の異物を除去するのは容易ではなく、対応に苦慮するのが実情である。
これに対して、家庭用掃除機の吸引力を利用して、口内異物を吸引し除去する装置、方法等の発明が開示されている。
【０００３】
特許文献１には、図１０に示すように、パイプを用いた把持部９２と口内への挿入部を所定の角度で連成した吸引具本体９３を形成し、把持部９２の後端部に掃除機の吸引ホースの接続部９４を設け、挿入部の先端部に吸引用の開口部９５を形成し、吸引具本体に吸引力を調整する調整孔９６を設けた、喉の詰め物緊急吸引具９１が開示されている。
また、特許文献２には、中央部に拡径された鍔を有し、この鍔前方に吸引管挿入筒、鍔後方に筒を掃除機吸引管に外挿する接続筒を有し、吸引管挿入筒に異物を吸着保持する可撓性の吸引管を固着し、鍔近傍周上に開孔度調節自在の空気導入孔を設けた、気道異物吸引除去用具の記載がある。
【０００４】
特許文献３には、家庭用電気掃除機の吸引口との接続管、外部からの空気の流入を調節する固定窓、許容限界吸引力を維持する開口手段、及び吸引力調節手段などを有する痰・異物の除去装置が記載されている。
特許文献４には、本体に電気掃除機の吸引ホースとの嵌合部、開閉自在な採気穴、また内部に目皿部を設け、本体前部に吸引ノズルを装着した吸出器の記載がある。特許文献５には、電気掃除機との接続管、気道内に挿入される吸気管及び異物係止部等を有する気道の異物吸引除去具の記載がある。
【先行技術文献】
【特許文献】
【０００５】
【特許文献１】特開２００４−９７５９８号公報
【特許文献２】実開平７−２７５８７号公報
【特許文献３】特開平１１−２４４３１１号公報
【特許文献４】特開２００１−３７７６６号公報
【特許文献５】特開２００２−２６３０３９号公報
【発明の概要】
【発明が解決しようとする課題】
【０００６】
さて、前記特許文献１乃至特許文献５は何れも電気掃除機の吸引力を利用した吸引具に係り、何れの吸引ノズルの吸引口も筒の開口部を利用したものである一方、人の口内は、舌或いは喉等が粘膜で覆われた組織が形成されており、このため、ノズルの吸引口が単なる筒の開口形状だと、この吸引口が舌等に吸着して吸引口の移動がスムーズに行えないおそれがあり、また口内の異物は、その詰まった箇所により、前方に開口する吸引口のみでは、異物吸引が困難となる場合も予想されるという問題がある。
【０００７】
本発明は上記問題点を解決するためになされたものであり、家庭の電気掃除機を利用し、口内に詰まった異物を効果的に吸引除去できる、口内の異物吸引具を提供することを目的とする。
【課題を解決するための手段】
【０００８】
以上の技術的課題を解決するため、本発明に係る口内の異物吸引具は、図１等に示すように、電気掃除機の吸込口と嵌挿可能な接続部が形成された筒状の把持部４と、前記把持部４から延設された中間筒部６，４６，６６と、前記中間筒部と連結された部位から、次第に筒径が縮径して形成された係止面部８，４８，６８と、前記係止面部の縮径された部位から筒状に延設され、先端部には、一又は複数の孔部２４を有する端面部２２が形成されたノズル部１０，７０と、を具備する構成である。
【０００９】
本発明に係る口内の異物吸引具は、前記中間筒部を直角向きに屈曲形成した構成である。
【００１０】
本発明に係る口内の異物吸引具は、前記係止面部の筒径を、テーパー状に縮径して形成した構成である。
【００１１】
本発明に係る口内の異物吸引具は、前記ノズル部の筒状部位に、一又は複数の補助孔部２６を設けた構成である。
【００１２】
本発明に係る口内の異物吸引具は、前記接続部の筒形状を、端部から前記中間筒部に向うに従って緩やかに拡径する形状に形成した構成である。
【００１３】
本発明に係る口内の異物吸引具は、前記ノズル部と一体の前記係止面部を、前記中間筒部の端部に着脱可能に接続した構成である。
【００１４】
本発明に係る口内異物吸引方法は、前記何れかに記載の口内の異物吸引具を用い、前記電気掃除機の吸引力を利用し、口内へ挿入した前記ノズル部により口内の異物を吸引し除去する方法である。
【発明の効果】
【００１５】
本発明に係る口内の異物吸引具によれば、把持部、中間筒部、係止面部、及び一又は複数の孔部を有する端面部が形成されたノズル部を有する構成を採用したから、緊急時に、家庭内の電気掃除機を利用して迅速に異物を口内から吸引除去することができ、また、口内に挿入したノズル部を移動させ口内の異物の場所を探る場合、ノズル部の先の端面部は面状であるため、粘膜質の口内を滑らかに移動して患者に与える不快感も軽減され、また口内の組織に傷を付けること等も防止でき、併せてノズル部挿入の際、係止面部が口内入口に当たって必要以上のノズル部の挿入の進行を妨げ、不用意にノズル部を口内、喉等に突き当てて傷付けることもない、という効果がある。
【００１６】
本発明に係る口内の異物吸引具によれば、中間筒部を直角向きに屈曲成形した構成を採用したから、口内の異物を吸引除去する際の操作性が良いという効果がある。
【００１７】
本発明に係る口内の異物吸引具によれば、係止面部の筒径をテーパー状に縮径した構成としたから、ノズル部を口内に挿入する際、必要以上の挿入が妨げられ、不用意にノズル部を口内、喉に突き当てて傷付けることもないという効果がある。
【００１８】
また、本発明に係る口内の異物吸引具によれば、ノズル部の筒状部位に、一又は複数の補助孔部を設けた構成としたから、口内の異物がノズル部の端面部の孔部のみでは吸引し難い場合であっても、筒状部位に設けた補助孔部によって吸引することも可能であり、また例えば端面部の孔部が喉、舌等によって塞がれたときなど、補助孔部が空気導入の孔となって過度の吸引を抑制するという効果がある。
【００１９】
また、本発明に係る口内の異物吸引具によれば、接続部の筒形状を緩やかに拡径する形状に形成したから、接続部と電気掃除機の吸込口との間に少しの隙間がある場合であっても、接続部を吸込口に差し込む程度により、両者が密着し隙間なく接続が行えるという効果がある。
【００２０】
本発明に係る口内の異物吸引具によれば、係止面部を中間筒部に着脱可能に接続した構成としたから、ノズル部の大きさ（長さ、太さなど）或いは孔部の形態（大きさ、数）の異なるものとの交換等が容易に行え、また吸引ノズルの内部の掃除も容易であるという効果がある。
【００２１】
本発明に係る口内異物吸引方法によれば、前記何れかに記載の口内の異物吸引具を用い、口内の異物を吸引し除去するようにしたから、前記と同様、緊急時に迅速に異物を口内から吸引除去することができ、また口内を滑らかに移動して患者に与える不快感も軽減され、併せて不用意にノズル部を口内、喉等に突き当てて傷付けることもない等、の効果がある。
【図面の簡単な説明】
【００２２】
【図１】本発明の第一の実施の形態に係る口内の異物吸引具の斜視図である。
【図２】第一の実施の形態に係る口内の異物吸引具の背面側の斜視図である。
【図３】第一の実施の形態に係る口内の異物吸引具の断面図である。
【図４】第一の実施の形態に係り、口内の異物吸引具の使用状態を示す図である。
【図５】第二の実施の形態に係る口内の異物吸引具の斜視図である。
【図６】第二の実施の形態に係る口内の異物吸引具の分解斜視図である。
【図７】第二の実施の形態に係る口内の異物吸引具の断面図である。
【図８】第三の実施の形態に係る口内の異物吸引具の正面側の斜視図である。
【図９】第三の実施の形態に係る口内の異物吸引具の背面側の斜視図である。
【図１０】従来例に係る口内詰め物緊急吸引具を示す図である。
【発明を実施するための形態】
【００２３】
以下、本発明の実施の形態に係る口内の異物吸引具を図面に基づいて説明する。
図１，２は、第一の実施の形態に係る口内の異物吸引具２を示したものである。
前記口内の異物吸引具２は、筒状の把持部４、この把持部４から延設された中間筒部６、この中間筒部６の端部に連結された係止面部８、及び係止面部８から筒状に延設されたノズル部１０を有している。異物吸引具２は、家庭用などの電気掃除機のホース等の先端部に設けられた吸込口１２（通常は塵吸引ノズルを嵌挿）に嵌挿して使用する。
【００２４】
異物吸引具２は、全体が筒状に形成され内部は空洞である。異物吸引具２は、合成樹脂材を成形したものであり、材料としては、例えばポリエチレン（ＰＥ）、ポリプロピレン（ＰＰ）、或いはポリ塩化ビニル（ＰＶＣ）等を用いることができる。
なお、前記異物吸引具２は、３Ｄプリンターに基づいて型を成形し、合成樹脂材の一体成形により製造したものである。
【００２５】
前記把持部４は円筒状で、後部の一部に接続部１４が形成されている。この接続部１４の筒形状は、先（ノズル部側）に向うに従って緩やかに拡径するテーパー形状である。接続部１４の外径をテーパー状に形成したことから、接続部１４の外径と電気掃除機の吸込口１２の内径との間に少しの隙間がある場合であっても、接続部１４を吸込口１２から奥に差し込むことで、両者が密着し隙間なく接続が行える。
また接続部１４には、中間部に第一の段部１６、及び第二の段部１８と２段の段部が形成されており、このため接続部１４を電気掃除機の吸込口１２に内挿した場合、少なくとも３種類の内径の吸込口１２への装着が可能となる。
【００２６】
前記中間筒部６は、把持部４と一体に成形され、係止面部８に向うに従って筒径が次第に拡径し、且つ中央部が直角向きに屈曲した形状である。
前記係止面部８は、中間筒部６と一体に成形され、筒径がノズル部１０に向うに従ってテーパー状に縮径した円錐（中空）に近い形状である。ここでは、係止面部８の勾配（（最大径−最小径）／軸方向の長さ）を１／２としている。
【００２７】
異物吸引具２の係止面部８（前面から見た場合はテーパー状に拡径した形状）により、ノズル部１０を口内に挿入した場合、この係止面部８が口内入口の唇、歯或いは顎に当たり、これ以上のノズル部１０の口内への挿入を抑止し、また止める。人の口内入口の大きさにもよるが、押し込みにより口内入口が係止面部８の所定位置に達すると、それ以上の押し込みは止められる。
【００２８】
前記係止面部８は勾配を１／２程度としているため、力を入れて異物吸引具２のノズル部１０及び係止面部８の一部を口内へ押し込むと、係止面部８により口内の入口を押し広げながらノズル部１０を奥の方へ挿入でき、このため力の加え加減でノズル部１０の挿入の程度を一定範囲で加減可能である。なお、ノズル部１０の口内への挿入を抑止及び停止させるためには、前記係止面部８の勾配は１／３以上とするのが好ましい。
【００２９】
前記ノズル部１０は、係止面部８の縮径された円形状の端部と一体に成形され、円形の筒状部位２０を有している。この筒状部位２０には、先端部に端面部２２（底面に相当）が形成されており、この端面部２２には一定間隔で孔部２４が設けられている。
またノズル部１０の筒状部位２０には、その周囲に一定間隔で補助孔部２６が設けられている。この補助孔部２６は端面部２２の近傍に設けられている。補助孔部２６を端面部２２の近傍に設けることで、端面部２２の孔部２４と補助孔部２６との両孔部が口内の形状等に応じて有効かつ相乗的に機能し、異物の吸引除去が良好に行える。
また、ノズル部１０の先端部（端面部２２を含めて）のエッジは、丸みを帯びた形状に形成されている。
【００３０】
ノズル部１０に形成された前記端面部２２は、円形で平面形状である。このため、異物吸引具２のノズル部１０を口内に挿入し、このノズル部１０を移動して口内の異物を探る場合、その先の端面部２２は面状であるため、粘膜で覆われデリケートな口内を滑らかに移動し、患者に与える不快感も軽減され、また口内に傷を付けること等も防止できる。
なお、前記ノズル部１０の端面部２２を、平面状以外に、凸面状或いは凹面状に形成することとしてもよい。このように、端面部２２を種々の面形状に形成することにより、口内の異物が硬いか軟らかいか、或いはその形状等、異物の種類により使い分けができ、有効に異物の除去が行える。
【００３１】
図３に示すように、口内の異物吸引具２の内部は、全体が空洞となっている。ここでの異物吸引具２のサイズは、全長（ｈ）が１８０ｍｍ、把持部の長さ（ｉ）は１２０ｍｍ、係止面部８の最大外径（ｊ）は６０ｍｍ、最小外径（ｋ）は３０ｍｍ、係止面部８とノズル部１０とを合せた長さ（ｌ）は６０ｍｍ、ノズル部１０のみの長さ（ｍ）は３０ｍｍ、またノズル部１０の外径（ｎ）は３０ｍｍとしている。
【００３２】
ここではノズル部１０の長さを３０ｍｍとしているが、これは係止面部８の一部を含めてノズル部１０の先が口内の喉奥近傍まで届く長さとしたものであり、他に子供用の場合は、１５ｍｍ〜２５ｍｍと短く、大人用の場合は、２５〜４０ｍｍと長く設定するようにしてもよい。
またノズル部１０の径は３０ｍｍとしているが、これは、口内にゆっくり挿入できる太さとしたものである。このノズル部の太さは他に、例えば子供用の場合は１０〜２５ｍｍと細く、大人用の場合は２５〜４０ｍｍと太く設定してもよい。
【００３３】
また、ノズル部１０の一部又は全部に、ゴム、シリコーンゴム等の弾性材からなるカバー材を被着するようにしてもよい。このカバー材は、例えばノズル部１０の端面部２２及び筒状部位２０の端面部２２寄りの箇所等に被着する。なお、このカバー材には、ノズル部１０の孔部２４及び補助孔部２５の各孔位置には同様の孔を設けておく。
他にノズル部１０を、端面部２２を含めて軟質の合成樹脂材、或いはゴム、シリコーンゴム等で形成するようにしてもよい。このようにノズル部１０を軟質材で形成し、或いは前記カバー材を被着することにより、ノズル部１０によって口内の粘膜質の表面を傷つけることが防止できる。
【００３４】
前記ノズル部１０の端面部２２の孔部２４の数は、ここでは３２〜３３個設けている。また前記筒状部位２０の補助孔部２６は、ここでは一周１４個とし上下二段に計２８個設けている。また、孔部２４及び補助孔部２６は何れも円形の孔で直径は何れも３ｍｍとしている。
異物吸引具２における異物の吸引は、主にノズル部１０の端面部２２の孔部２４によって行われるが、この孔部２４では吸引し難い部位の異物等は、筒状部位２０に設けた補助孔部２６によって吸引することができる。また、例えば端面部２２の孔部２４が喉、舌等によって塞がれた場合等では、筒状部位２０の補助孔部２６が空気導入の孔となって過度の吸引を抑制する。
【００３５】
端面部２２の孔部２４の数は、端面部２２の広さ或いは孔部２４の大きさ等により増減可能である。この孔部２４の数は、通常複数設けるが１個でも可能である。孔部２４の数は、端面部２２の大きさ等により、例えば５〜４０個程度設けることとしてもよい。
また筒状部位２０の補助孔部２６についても、この筒状部位２０の太さ或いは補助孔部２６の大きさ等により増減可能である。この補助孔部２６の数も、通常複数設けるが１個でも可能である。
孔部２４同士或いは補助孔部２６同士の間隔を広くした場合、吸引力は強くなり、この間隔を狭くした場合には吸引力は弱くなる。
【００３６】
図４は、前記口内の異物吸引具２の使用状態を示したものである。
人が口内３０に異物を詰まらせた場合、緊急にこれら異物を除去するなどの処理をとる必要がある。なお、口内の異物としては、もち、飴、菓子、ゼリー、豆類等の食品、硬貨、鋲、ボタン、煙草、玩具、物の破片などの非食品が予想される。
この場合、家庭に備えてある電気掃除機を利用し、電気掃除機３２のホース３４の先の吸込口１２に差し込まれている塵吸引ノズルを取り外し、これに替えて前記異物吸引具２を用い、この異物吸引具２の接続部１４を前記吸込口１２に嵌挿（内挿）し接続する。
【００３７】
電気掃除機３２の運転により吸引が開始されると、看護者は患者を安定させた状態にさせ、異物吸引具２の把持部４を持って患者の口内３０にノズル部１０を挿入し、口内３０の喉、咽頭などに詰まった異物を探り、これをノズル部１０の孔部２４或いは補助孔部２６に吸引、吸着させ、ノズル部１０とともに異物を速やかに口内から除去する。
【００３８】
このように、前記異物吸引具２によれば、人が口内に異物を詰まらせるという緊急時に、家庭内の電気掃除機３２を利用して迅速に異物を口内から吸引除去することができる。また、口内に挿入したノズル部１０を移動させ口内の異物の場所を探る場合、ノズル部１０の先の端面部２２は面状であるため、粘膜質のデリケートな口内を滑らかに移動し患者に不快感を与えることも軽減され、また口内の組織に傷を付けること等も防止できる。さらに、異物吸引具２のノズル部１０を口内に挿入する際、拡径された係止面部８が口内入口の唇、歯或いは顎に当たって必要以上の挿入の進行が妨げられ、不用意にノズル部１０を口内、喉に突き当てて傷付けることもない。
【００３９】
図５は、第二の実施の形態に係る口内の異物吸引具を示したものである。
この口内の異物吸引具４２の基本的な構成は、前記第一の実施の形態に係る異物吸引具２と同様、筒状の把持部４、この把持部４から延設された中間筒部４６、この中間筒部４６の端部に連結された係止面部４８、及び係止面部４８から筒状に延設されたノズル部１０を有している。
【００４０】
この異物吸引具４２は図６に示すように、前記中間筒部４６と係止面部４８とが分離した形態である。このため異物吸引具４２は、中間筒部４６及び把持部４が一体成形された第一の部品４７と、係止面部４８及びノズル部１０が一体成形された第二の部品４９との２つの部品から構成されている。
異物吸引具４２は、前記中間筒部４６と係止面部４８とが分離した点を除き、各部の基本的な形状、大きさ、材質、使用方法、及び作用効果等は第一の実施の形態に係る異物吸引具２と同様であり、また同じ部材等は同一の符号を用いてここでの詳細な説明は省略する。
【００４１】
異物吸引具４２の第一の部品４７には、中間筒部４６の端部の外周に円環状の第一の接続部５０が形成され、また第二の部品４９には、係止面部４８の端部（後部側）の内周に円環状の第二の接続部５２が形成されている。
そして、図７の断面図にも示すように、異物吸引具４２の第一の接続部５０は第二の接続部５２に密閉状態に嵌合（内嵌）可能であり、このため第二の部品４９は第一の部品４７に対して着脱可能である。
なお、第一の接続部５０と第二の接続部５２との両接続部にそれぞれネジ溝を設け、螺着により両者を着脱自在に接続するようにしてもよい。
【００４２】
異物吸引具４２の第二の部品４９（係止面部４８及びノズル部１０）を着脱自在にすることにより、第二の部品４９を他の種類（ノズル部の孔、補助孔の大きさ、数の異なるタイプなどを複数種類準備）のものと自在に交換することができ、患者の口内の大きさ、異物の種類などにより有効に使い分けができ、また異物吸引具２の内部の掃除も容易となる。
なお、第一の部品４７と第二の部品４９とを接着剤等で接続し一体化することは何ら差し支えなく、この場合、異物吸引具４２の作用効果等は第一の実施の形態に係る異物吸引具２と同様である。
【００４３】
なお、第一の部品４７と第二の部品４９との間に、ガーゼ或いは不織布等のフィルター（図示せず）を介在させるようにしてもよい。たとえば、第一の部品４７の第一の接続部５０にフィルターを被せ、第二の部品４９の第二の接続部５２を嵌合し、フィルターを張設する。
これにより、第一の部品４７と第二の部品４９間を通過する吸引空気は前記フィルターの抵抗によって弱められ、ノズル部１０の吸引力が低下する。そして、電気掃除機３２による必要量以上の吸引力が緩和され、患者に不快感を与えることもない。同時に、前記フィルターにより異物等が濾過され、異物がホース３４或いは電気掃除機３２を汚すこともない。
前記ノズル部１０における吸引力を低下させる方法として、他に、中間筒部４６或いは把持部４に空気の導入孔（図示せず）を設けるようにしてもよい。この導入孔は、孔の大きさを調整可能とすれば、前記ノズル部１０の吸引力を加減することができる。前記空気の導入孔を設ける構造は、他の（第一又は第三の）実施の形態で採用してもよく、これによりノズル部１０の吸引力が低下する等同様の効果が得られる。
【００４４】
図８，９は、第三の実施の形態に係る口内の異物吸引具を示したものである。
この口内の異物吸引具６２は、前記第一の実施の形態に係る異物吸引具２と同様、筒状の把持部４、この把持部４から延設された中間筒部６６、この中間筒部６６の端部に連結された係止面部６８、及び係止面部６８から筒状に延設されたノズル部７０を有している。
異物吸引具６２は、ノズル部７０及び係止面部６８の断面を楕円形状とした点、及びこれに伴い中間筒部６６の断面も楕円状に形成した点を除き、各部の基本的な形状、大きさ、材質、使用方法、及び作用効果等は第一の実施の形態に係る異物吸引具２と同様であり、また同じ部材等は同一の符号を用いてここでの詳細な説明は省略する。
【００４５】
この異物吸引具６２の係止面部６８は、断面が楕円状の円錐形状であり、またノズル部７０も筒の断面は楕円状に形成されている。また、ここでは前記孔部２４の数を２０個としている。前記補助孔部２６は、一周１２個で上下二段に計２４個設けられている。他に、補助孔部２６を一周８個で上下二段に計１６個設けるようにしてもよい。
異物吸引具６２は、前記各断面を楕円形状にしたことから、前記異物吸引具２等と比べて全体がスリムに形成されており、口内が小さい子供、或いは女性などの使用に効果的である。
【符号の説明】
【００４６】
２    異物吸引具
４    把持部
６，４６，６６    中間筒部
８，４８，６８    係止面部
１０，７０  ノズル部
１２  吸込口
２０  筒状部位
２２  端面部
２４  孔部
２６  補助孔部
【図１】
2015002784.tif 000003
【図２】
2015002784.tif 000004
【図３】
2015002784.tif 000005
【図４】
2015002784.tif 000006
【図５】
2015002784.tif 000007
【図６】
2015002784.tif 000008
【図７】
2015002784.tif 000009
【図８】
2015002784.tif 000010
【図９】
2015002784.tif 000011
【図１０】
2015002784.tif 000012